(57)【要約】      （修正有）【課題】簡単にテンプル交換可能なメガネ構造を提供する。【解決手段】リム１０、及びリム両側にそれぞれ設けたテンプル２０からなり、該リム両側には連接管１２を設けて、該連接管の管壁には外方に開口する掛合孔を設け、該テンプル前端には該連接管に挿入し、表面の凸出部２６を掛合孔１３に嵌合する結合部１２を設けて該連接管に挿入した結合部の突出部を該係合孔から突出させて固定する。テンプルを交換するには外方に突出した結合部を押圧してその嵌合ををはずすことができる。【選択図】図３
0003158581.tif 000002
【実用新案登録請求の範囲】
【請求項１】
リム、及びリム両側にそれぞれ設置したテンプルから構成されたテンプル交換可能なメガネ構造において、
該リムは一対のレンズ片を固定すると共に、リムの両側には連接管を延長して形成し、
該連接管は中空の管状体で、その一側の管壁には外方に開口する掛合孔を設け、
該テンプルは、その前端にリムの連接管の形状に合ってその中に挿入可能な結合部を設置し、
該結合部はちょうど、「コ」の字型の挟持片を形成して、結合部の前側段と後側段の間に隙間を備え、該隙間の中に弾性部品を介挿して、前側段に回復弾力を付与し、該前側段の外表面に凸出部を凸設して、該凸出部が該リムの連接管の掛合孔と嵌合するようにしたことを特徴とするテンプル交換可能なメガネ構造。
【請求項２】
前記リム両側の連接管は、管壁に内向きに凹んだ凸縁を設置し、テンプル前端の結合部にはこれらに対応する溝を設置し、テンプルの結合部をリムの連接管に挿入して該凸縁が凹溝内に嵌合して結合するようにしたことを特徴とする請求項１記載のテンプル交換のメガネ構造。
【考案の詳細な説明】
【技術分野】
【０００１】
本考案は、テンプル交換のメガネ構造に関するもので、特に、使いやすく、スピーディ、且つ簡単にメガネのテンプルを交換できるメガネ構造に係わる。
【背景技術】
【０００２】
公知のメガネ（近視メガネ、サングラス等々を含む）は、通常分離した一対のレンズ片及び該一対のレンズ片を設置するリム、リム両側にそれぞれ設置するテンプルを含んで構成される。一対のテンプルとリムの結合方式は、小ネジで止めて固定し、それによってテンプルを折り畳む。上述のメガネが提供する基本機能は、視力を矯正するか、もしくは光を遮る目的である。しかしながら、視力を矯正する、もしくは日差しを遮るために使用するユーザーにとって、単一形式のメガネは常に新しい物を求める現代生活に合わなくなっている。そのため、ユーザーは往々にして様々な形の異なるメガネを購入して、服やアクセサリーに合わせている。しかしながら、同時にいくつものメガネをそろえることは、当然のことながら、費用もかかる。そのため、或るデザイナーは美観を備えたテンプルをデザインし、そのテンプルをユーザーが交換するように設計することで、異なる形や雰囲気を備えたメガネを提供している。
【先行技術文献】
【特許文献】
【０００３】
【特許文献１】特開２００５−４３８００号公報
【特許文献２】特開２０００−２８４２３３号公報
【考案の概要】
【考案が解決しようとする課題】
【０００４】
解決しようとする問題点は、公知のテンプルを交換する方式が、メガネ専用のねじ回しでネジを外し、別の一対のテンプルと交換しなければならず、この種の方式は、交換過程が不便で煩雑であるだけでなく、ネジを反復回転させることでネジ紋が崩れてテンプルが緩んでしまう問題が発生する点である。
【課題を解決するための手段】
【０００５】
本考案は、リム，及びリム両側にそれぞれ設置したテンプルをもって構成する。該リム両側には連接管を設置し、該連接管の管壁には透かし彫りの掛合孔を設置する。該テンプル前端には結合部を設置し、結合部を連接管に挿入し、結合部表面の凸出部を掛合孔に嵌合する。これによって、リム両側の連接管は、テンプルの結合部で固定されることを最も主要な特徴とする。
【考案の効果】
【０００６】
本考案のテンプル交換のメガネ構造は、便利、スピーディ、簡単にテンプルを交換するという利点がある。
【図面の簡単な説明】
【０００７】
【図１】本考案の局部立体構造図である。
【図２】本考案の断面構造図である。
【図３】本考案のテンプル交換の使用指示図である。
【図４】本考案の別の弾性部品の実施指示図である。
【図５】本考案の掛合孔の別方向からの実施例図である。
【考案を実施するための形態】
【０００８】
本考案の目的は、公知のメガネのテンプル交換時に発生する欠点を改善し、便利、スピーディ、簡単なメガネテンプル交換可能なメガネ構造を提供する。上述の目的のため、本考案は、リム、及びリム両側にそれぞれ設置したテンプルを具える。該リム両側には連接管が伸び、連接管の管壁には透かし彫りの掛合孔を設置する。該テンプルの前端には結合部を設置し、該結合部は「コ」の字型の挟持片で、その間に弾性部品を設置する。結合部の外表面には凸出部を設置し、該凸出部はリムの連接管の掛合孔と噛み合う形状である。
【実施例】
【０００９】
本考案の目的を達成するための技術手段及び構造上の特徴を図面と共に実施例を挙げて説明する。
【００１０】
図１、図２に示すとおり、本考案のメガネは、少なくともリム１０及びリム１０両側にそれぞれ設置するテンプル２０から構成される。そのうち、
【００１１】
該リム１０は、分離した一対のレンズ片１１を固定し、リム１０の両側には連接管１２が延長される。該連接管１２とリム１０の間は軸を介して接続されており、折り畳む（図未提示）ことができる。但し、これは一般メガネすべての設計であるため、詳述しない。
該連接管１２は、中空の管状体であり、その一側の管壁には外方に開口する掛合孔１３及び内向きに凹んだ凸縁１４を設置する。テンプル２０の前端には結合部２１を設置し、該結合部２１はちょうどリム１０の連接管１２に噛み合う形状でその中に挿入される。結合部２１は「コ」の字型の挟持片で、結合部２１の前側段２２と後側段２３の間に隙間２４を備え、該隙間２４内に弾性部品２５を設置し、前側段２２を後側段２３方向へ圧縮すると、弾性部品２５の弾発力によって、その元の状態に復元する力を備える。
他に該前側段２２の外側表面には凸出部２６及び凹溝２７を設けて、該凸出部２６はリム１０の連接管１２の掛合孔１３形状と噛み合い、凹溝２７に凸縁１４が嵌入される。
【００１２】
上述の構造によって、本考案のリム１０両側には連接管１２を設置し、該連接管１２にテンプル２０の結合部２１を差込み、結合部２１の凸出部２６を連接管２１の掛合孔１３に掛合し、さらに、凸縁１４が凹溝２７内に嵌入することで、テンプル２０はリム１０の側で固定される。そして凸出部２６に外方から力を加えると、直ちに簡単にテンプル２０がリム１０の連接管２１から外れ、簡単に着脱する目的が達成される。特に、結合部２１の前側段２２と後側段２３の間には弾性部品２５を設置し、弾性部品２５の押圧力が働くことによって、前側段２２は常に弾力回復が保たれ、使用時に凸出部２６の材質が疲労や劣化したりして、掛合機能が損なわれることを補う。また、テンプル２０の結合部２１の凸出部２６表面には必要に応じて特定の文字、標記、符号、図案もしくは色を施すことで、凸出部２６を掛合孔１３に掛合した時、表示作用、もしくは独特の美観を形成する。図３に示すのは、本考案の様々なデザイン、色、種類のテンプル２０であり、ユーザーは服やアクセサリーに合わせてリム１０に設置することで、自由に好きなテンプル２０を選択し、様々な風格のメガネになる。更に、前述の結合部２１前側段２２と後側段２３の間に設置した弾性部品２５は、図２のように圧縮バネを用いる外に、図４のように弾性バネ片を結合部２１前側段２２と後側段２３の隙間の中に嵌合してもよく、同様にして回復パワーを維持することができる。他に、該リム１０の連接管１２の管壁には外方に開口する掛合孔１３を設置し、図２に示すとおり、リム１０の外側面の外に設置してもよく、また図５に示すとおり、リム１０の内側面に設置してもよい。但し、テンプル２０前端の結合部２１の凸出部２６は、掛合孔１３に対応してテンプル２０をリム１０側で固定する。
【００１３】
上述及び添付図に示す良好な実施例からもわかるとおり、本考案は、リム１０とテンプル２０のデザインで、良好な効果を達成する。更に本考案の運用の技術手段及びその構造は本考案者の研鑽に拠り、特許要件に符合するため、申請する。但し本考案の上述の構造は、本考案の良好な実施例に過ぎず、本考案の構造に基づく同等の変化は、本考案の請求範囲に含むものとする。
【符号の説明】
【００１４】
１０        リム
１１        レンズ片
１２        連接管
１３        掛合孔
１４        凸縁
２０        テンプル
２１        結合部
２２        前側段
２３        後側段
２４        隙間
２５        弾性部品
２６        凸出部
２７        凹溝
【図１】
0003158581.tif 000003
【図２】
0003158581.tif 000004
【図３】
0003158581.tif 000005
【図４】
0003158581.tif 000006
【図５】
0003158581.tif 000007